【手続補正書】
【提出日】平成16年6月8日(2004.6.8)
【手続補正１】
【補正対象書類名】明細書
【補正対象項目名】全文
【補正方法】変更
【補正の内容】
【書類名】      明細書
【発明の名称】  外断熱用の屋上防水層多重脱気構造とこれに用いる多重脱気装置。
【特許請求の範囲】
【請求項１】屋上の下地コンクリートと、屋上の下地コンクリート上に積層される複数の被覆層と、屋上の下地コンクリートとこれに接する被覆層との間および互いに接する各被覆層の間にそれぞれ連通して水分、ガスその他を大気中に放散する脱気装置とを具え、前記脱気装置は、屋上の下地コンクリートとこれに接する被覆層との間に連通する第１脱気手段と、互いに接する各被覆層の間に連通する第２脱気手段と、前記両脱気手段の雨カバーとを具えた外断熱用の屋上防水層多重脱気構造において、屋上の下地コンクリート上に積層される複数の被覆層は、屋上の下地コンクリート上面に設置される断熱層とこの断熱層を被覆する防水層であり、脱気装置の第１脱気手段は両端開口する内筒体と前記内筒体の一方開口端の外周縁に形成された支持基板とからなり、脱気装置の第２脱気手段は両端開口して前記内筒体を遊嵌できる外筒体とこの外筒体の一方開口端の外周縁に形成された支持基板とからなり、前記両脱気手段の雨カバーは外筒体の上端開口に所定の間隙を有して被冠される一端が開口する筒状キャップからなり、第１脱気手段はその支持基板を屋上の下地コンクリート上面に固定し、下地と断熱層との間に発生する水蒸気その他のガスを前記内筒体に誘導して筒状キャップを介して排気する一方、第２脱気手段はその支持基板を防水層下面に固定し、断熱層上面と防水層下面との間に発生する水蒸気その他のガスを前記外筒体に誘導して筒状キャップを介して排気するようになすとともに、第１脱気手段の内筒体の外周面と第２脱気手段の外筒体の内周面との間には通気口を有するスペーサーを介装して内筒体の外周面と第２脱気手段の外筒体の内周面との間に所定の間隙を保持するようにしたことを特徴とする外断熱用の屋上防水層多重脱気構造。
【請求項２】屋上の下地コンクリートと、屋上の下地コンクリート上に積層される複数の被覆層と、屋上の下地コンクリートとこれに接する被覆層との間および互いに接する各被覆層の間にそれぞれ連通して水分、ガスその他を大気中に放散する脱気装置とを具え、前記脱気装置は、屋上の下地コンクリートとこれに接する被覆層との間に連通する第１脱気手段と、互いに接する各被覆層の間に連通する第２脱気手段と、前記両脱気手段の雨カバーとを具えた外断熱用の屋上防水層多重脱気構造において、屋上の下地コンクリート上に積層される複数の被覆層は、屋上の下地コンクリート上面に設置される第１および第２の防水層であり、脱気装置の第１脱気手段は両端開口する内筒体と前記内筒体の一方開口端の外周縁に形成された支持基板とからなり、脱気装置の第２脱気手段は両端開口して前記内筒体を遊嵌できる外筒体とこの外筒体の一方開口端の外周縁に形成された支持基板とからなり、前記両脱気手段の雨カバーは外筒体の上端開口部に所定の間隙を有して被冠される一端が開口する筒状キャップからなり、第１脱気手段はその支持基板を屋上の下地コンクリート上面に固定し、下地と第１防水層との間に発生する水蒸気その他のガスを前記内筒体に誘導して筒状キャップを介して排気する一方、第２脱気手段はその支持基板を防水層下面に固定し、第１防水層上面と第２防水層下面との間に発生する水蒸気その他のガスを前記外筒体に誘導して筒状キャップを介して排気するようになすとともに、第１脱気手段の内筒体の外周面と第２脱気手段の外筒体の内周面との間には通気口を有するスペーサーを介装して内筒体の外周面と第２脱気手段の外筒体の内周面との間に所定の間隙を保持するようにしたことを特徴とする外断熱用の屋上防水層多重脱気構造。
【請求項３】  請求項１または２のいずれかにおいて、筒状キャップの底面には、壁面に複数の通気口を有するとともにその開口端部が第２脱気手段の外筒体の上端開口部に螺合する連結筒を設けたことを特徴とする外断熱用の屋上防水層多重脱気構造。
【請求項４】  屋上の下地コンクリートと、屋上の下地コンクリート上に積層される複数の被覆層と、屋上の下地コンクリートとこれに接する被覆層との間および互いに接する各被覆層の間にそれぞれ連通して水分、ガスその他を大気中に放散する脱気装置であって、屋上の下地コンクリートとこれに接する被覆層との間に連通する第１脱気手段と、互いに接する各被覆層の間に連通する第２脱気手段と、前記両脱気手段の雨カバーとを具え、前記第１脱気手段は両端開口する内筒体と前記内筒体の一方開口端の外周縁に形成された支持基板とからなり、前記第２脱気手段は両端開口して前記内筒体を遊嵌できる外筒体とこの外筒体の一方開口端の外周縁に形成された支持基板とからなり、前記両脱気手段の雨カバーは外筒体の上端開口に所定の間隙を有して被冠される一端が開口する筒状キャップから構成するとともに、外筒体の内周面と内筒体の外周面との間に所定の間隙を保持するために通気路を具えたスペーサーを設けたことを特徴とする多重脱気装置。
【請求項５】  請求項４において、筒状キャップの底面には、周壁複数の通気口を有してその下端開口部が外筒体の上端開口部に螺合する連結筒を具えたことを特徴とする多重脱気装置。
【発明の詳細な説明】
【０００１】
【発明の属する技術分野】
本願発明は、外断熱用の屋上防水層多重脱気構造およびこれに使用する多重脱気装置に関し、詳しくはコンクリート下地、この上に積層される断熱層、防水層などの複数界面から水蒸気その他のガスを大気中に放散して防水層の膨れによる挙動を防止し、防水機能の安全性を高めるようにした外断熱用の屋上防水層多重脱気構造とこれに使用する多重脱気装置に関するものである。
【０００２】
【従来技術】
従来の屋上防水層脱気構造と脱気装置としては、本願発明者らが開発し、現在盛んに実施されている図８に示すものが知られている。
図において、１は屋上の下地部としてのコンクリートスラブ、２はコンクリートスラブ１の表面に張設された防水層、３は脱気装置である。  脱気装置３は、ベース板３ａ、このベース板３ａの開口部に下端開口部を連結して立設される筒体３ｂ、筒体３ｂの上端開口部に嵌合されるキャップ３ｃを具えている。
【０００３】
脱気装置３の前記ベース板３ａは、コンクリートスラブ１の表面に固定されていて、コンクリートスラブ１と防水層２との間に生じた水蒸気その他のガス体は前記ベース板３ａとコンクリートスラブ１の表面との間隙を介して筒体３ｂに至り上昇し筒体３ｂの上端開口部から大気中に放散される。このため、コンクリートスラブ１から蒸散される水蒸気その他のガス体による防水層２の膨れによる剥離とこれによる防水機能不全、耐久性への悪影響、美観の毀損その他の不都合を防止できる。
【０００４】
ところで、膨大な量の二酸化炭素排出による気候の温暖化現象は、様々な面で将来の長きにわたり地球環境に負の影響を及ぼすものと憂慮されている。そして、二酸化炭素排出量の抑制、減少は生活環境のあらゆる分野、レベルで求められる緊急の課題となりつつあるのが現状である。
建造物の分野も例外ではなく、いわゆる省エネ法の制定を契機に高気密・高断熱によるエネルギーの効率的利用への認識が高まりを見せている。  当該建造物分野における屋上防水構造でも、省エネ対策として種々の形態の断熱防水が採用されている。
【０００５】
建造物の分野における断熱構造としては、大別して内断熱構造と外断熱構造に分けられるが、エネルギーの効率的な利用の見地からすると建造物において躯体の外側に断熱手段を設ける外断熱構造が外気温の影響を大幅に遮断し躯体を保護し得る点で優れている。  外断熱構造は、前述のようにスラブの外側に断熱材を設置する構成であり、例えば屋根スラブの蓄熱量を少なく抑え、内部結露の発生を抑制して建造物の耐久性を増し、冷暖房時のエネルギー消費の大幅な減少が可能となる。
【０００６】
【発明が解決しようとする課題】
建造物の屋上に外断熱構造を採用する場合、具体的には、押え防水工法と露出防水工法とのいずれかが可能である。押え防水の場合は、まず、屋上スラブ面に防水層を形成し、その防水層の上に断熱材を設置する。他方、露出防水の場合は、屋上スラブ面に直接あるいは防湿層を介して断熱材を張設して断熱層を形成し、この断熱層の上面を防水層で被覆することになる。
したがって、押え防水工法による場合は、コンクリート下地から発生して太陽熱等による膨張によって防水層を圧迫し、これに機能低下の原因となる膨れを発生させる水蒸気その他のガスを排気する必要があるが、この場合には上記従来の外断熱用の屋上防水層多重脱気構造により対応することができる。
しかしながら、露出防水の場合は、水蒸気その他の排気を要するガスは、複数の界面において発生するから前記従来技術では対応することができない。
すなわち、露出防水の場合は、コンクリート下地表面と断熱層下面との間、断熱層表面と防水層下面との間の複数の界面に水蒸気等のガスが発生し、このガスは太陽熱により加熱膨張して防水層に達しこれを加圧する。このため防水層に機能低下の原因となる膨れが発生するので、前記各界面で個別に水蒸気等を脱気する必要がある。
【０００７】
すなわち、コンクリート下地表面と断熱層下面との間にはコンクリート層から蒸散される水蒸気等のガスが滞留する。  周知のように、コンクリートは完全に固化しても水分は完全に抜けることはない。  そこで、コンクリートスラブ面の防水処理は、水分計による含水率が８％未満になった状態でなすのがスタンダードとされている。  そして、このような条件で防水処理をなしてもコンクリート層からの水分の蒸散は不可避である。  しかるに、現実の施工現場では、コンクリートが前記状態まで固化するのを待って作業が進行することは稀である。
【０００８】
すなわち、建設現場では、工期、工程が予め定められていても、工程の遅れは常態となっており、コンクリート打ちから含水率が８％未満に減少するに要する時間である１か月を待つことは非現実的であり、通常は３週間程度で達するコンクリート初期硬度を待って、次工程が開始となりしたがって、この状態でコンクリートスラブ面に防水処理がなされることになりコンクリート層からの水分の蒸散の増加は避けられない。  また、防水工事の前日に降雨があってコンクリート層の含水率の上昇がみられても、当日雨天でもなければ防水工事は決行される。  このように、防水層に被覆されるコンクリート層は、現実に相当高い含水率を有しており蒸散される水蒸気の処理は極めて重要な課題である。
【０００９】
そして、上述のように、コンクリート層から蒸散された水蒸気等のガスは、断熱材相互の接合部分の間隙を介して断熱層表面と防水層下面との間に上昇到達する。また、断熱材自体から発生する種々のガス体も同様に断熱層表面と防水層下面との間に上昇して滞留する。
上述のように、外断熱用の屋上防水層構造にあっては、複数の界面からの水蒸気その他のガス体の脱気をなす必要があり、蒸気従来技術では対応できず、新たな技術開発が必要されているのが実情である。
【００１０】
【課題を解決するための手段】
本願発明は、屋上の下地コンクリートと、屋上の下地コンクリート上に積層される複数の被覆層と、屋上の下地コンクリートとこれに接する被覆層との間および互いに接する各被覆層の間にそれぞれ連通して水分、ガスその他を大気中に放散する脱気装置とを具え、前記脱気装置は、屋上の下地コンクリートとこれに接する被覆層との間に連通する第１脱気手段と、互いに接する各被覆層の間に連通する第２脱気手段と、前記両脱気手段の雨カバーとを具えた外断熱用の屋上防水層多重脱気構造において、屋上の下地コンクリート上に積層される複数の被覆層は、屋上の下地コンクリート上面に設置される断熱層とこの断熱層を被覆する防水層であり、脱気装置の第１脱気手段は両端開口する内筒体と前記内筒体の一方開口端の外周縁に形成された支持基板とからなり、脱気装置の第２脱気手段は両端開口して前記内筒体を遊嵌できる外筒体とこの外筒体の一方開口端の外周縁に形成された支持基板とからなり、前記両脱気手段の雨カバーは外筒体の上端開口に所定の間隙を有して被冠される一端が開口する筒状キャップからなり、第１脱気手段はその支持基板を屋上の下地コンクリート上面に固定し、下地と断熱層との間に発生する水蒸気その他のガスを前記内筒体に誘導して筒状キャップを介して排気する一方、第２脱気手段はその支持基板を防水層下面に固定し、断熱層上面と防水層下面との間に発生する水蒸気その他のガスを前記外筒体に誘導して筒状キャップを介して排気するようになすとともに、第１脱気手段の内筒体の外周面と第２脱気手段の外筒体の内周面との間には通気口を有するスペーサーを介装して内筒体の外周面と第２脱気手段の外筒体の内周面との間に所定の間隙を保持するようにした外断熱用の屋上防水層多重脱気構造を提供して上記従来の課題を解決しようとするものである。
【００１１】
また、本願発明は、屋上の下地コンクリートと、屋上の下地コンクリート上に積層される複数の被覆層と、屋上の下地コンクリートとこれに接する被覆層との間および互いに接する各被覆層の間にそれぞれ連通して水分、ガスその他を大気中に放散する脱気装置とを具え、前記脱気装置は、屋上の下地コンクリートとこれに接する被覆層との間に連通する第１脱気手段と、互いに接する各被覆層の間に連通する第２脱気手段と、前記両脱気手段の雨カバーとを具えた外断熱用の屋上防水層多重脱気構造において、屋上の下地コンクリート上に積層される複数の被覆層は、屋上の下地コンクリート上面に設置される第１および第２の防水層であり、脱気装置の第１脱気手段は両端開口する内筒体と前記内筒体の一方開口端の外周縁に形成された支持基板とからなり、脱気装置の第２脱気手段は両端開口して前記内筒体を遊嵌できる外筒体とこの外筒体の一方開口端の外周縁に形成された支持基板とからなり、前記両脱気手段の雨カバーは外筒体の上端開口部に所定の間隙を有して被冠される一端が開口する筒状キャップからなり、第１脱気手段はその支持基板を屋上の下地コンクリート上面に固定し、下地と第１防水層との間に発生する水蒸気その他のガスを前記内筒体に誘導して筒状キャップを介して排気する一方、第２脱気手段はその支持基板を防水層下面に固定し、第１防水層上面と第２防水層下面との間に発生する水蒸気その他のガスを前記外筒体に誘導して筒状キャップを介して排気するようになすとともに、第１脱気手段の内筒体の外周面と第２脱気手段の外筒体の内周面との間には通気口を有するスペーサーを介装して内筒体の外周面と第２脱気手段の外筒体の内周面との間に所定の間隙を保持するようにした外断熱用の屋上防水層多重脱気構造を提供して上記従来の課題を解決しようとするものである。
【００１２】
さらに、上記いずれかの外断熱用の屋上防水層多重脱気構造において、筒状キャップの底面には、壁面に複数の通気口を有するとともにその開口端部が第２脱気手段の外筒体の上端開口部に螺合する連結筒を設けることがある。
【００１３】
さらにまた、本願発明は、屋上の下地コンクリートと、屋上の下地コンクリート上に積層される複数の被覆層と、屋上の下地コンクリートとこれに接する被覆層との間および互いに接する各被覆層の間にそれぞれ連通して水分、ガスその他を大気中に放散する脱気装置であって、屋上の下地コンクリートとこれに接する被覆層との間に連通する第１脱気手段と、互いに接する各被覆層の間に連通する第２脱気手段と、前記両脱気手段の雨カバーとを具え、前記第１脱気手段は両端開口する内筒体と前記内筒体の一方開口端の外周縁に形成された支持基板とからなり、前記第２脱気手段は両端開口して前記内筒体を遊嵌できる外筒体とこの外筒体の一方開口端の外周縁に形成された支持基板とからなり、前記両脱気手段の雨カバーは外筒体の上端開口に所定の間隙を有して被冠される一端が開口する筒状キャップから構成するとともに、外筒体の内周面と内筒体の外周面との間に所定の間隙を保持するために通気路を具えたスペーサーを設けた多重脱気装置を提供して上記従来の課題を解決する。
【００１４】  
またさらに、上記多重脱気装置において、筒状キャップの底面には、周壁複数の通気口を有してその下端開口部が外筒体の上端開口部に螺合する連結筒を具えて構成することがある。
【００１５】
【発明の実施形態】
図面に基づいて本願発明の一実施形態を説明する。
図１は、外断熱用の屋上防水層多重脱気構造を示す一部切欠断面図である。
図において、１は屋上の下地コンクリートであり、この屋上の下地コンクリート１上に防湿層、断熱層、防水層といった複数の被覆層が積層されている。
すなわち、４は屋上の下地コンクリート１上に敷設される防湿層であり、屋上の下地コンクリート１表面とは多数の点で接着剤により接合されており両者における未接着部分が屋上の下地コンクリート１表面から蒸散する水蒸気その他のガス体の通気路を構成している。なお、前記防湿層４は場合によっては設置されないこともある。
【００１６】
５は、前記防湿層４の上面に適宜の断熱材の帖設により形成された断熱層であり、２はこの断熱層５の表面を被覆する防水層である。防水層２の裏面と断熱層５の上面も、前記と同様に点接着されており、接着点以外の部分により断熱層５方向から蒸散する水蒸気その他のガス体の流路が構成されている。
３１は多重脱気装置であり、屋上の下地コンクリート１とこれに接する防湿層４との間に連通されて水蒸気その他のガス体を排出する第１脱気手段３１ａと、この第１脱気手段３１ａに遊嵌され断熱層５の表面とこれを被覆する防水層２裏面との間に連通されて水蒸気その他のガス体を排出する第２脱気手段３１ｂと、第２脱気手段３１ｂの上部開口端に通気性を保持して固定される前記両脱気手段の雨カバー３１ｃとからなっている。
【００１７】
図２は、前記第１脱気手段３１ａの一部切欠側面図である。  図において、３２は両端開口する内筒体、３３は前記内筒体３２の一方開口端の外周縁に固定された方形状の支持基板である。この支持基板３３は、図１に示すように屋上の下地コンクリート１上面に固定され、屋上の下地コンクリート１と断熱層５（又は防湿層４）との間に発生する水蒸気その他のガス体を内筒体３２に誘導して大気中に排出する。
また、３４、３４は内筒体３２の外周面の２か所に嵌合されたスペーサーであり、これによって後述の第２脱気手段の外筒体の内周面と内筒体３２の内周面との間に所定の間隙を保持できるようになっている。
【００１８】
図３は、前記第２脱気手段３１ｂの一部切欠側面図である。  図において、４２は両端開口する外筒体、４３は前記外筒体４２の一方開口端の外周縁に固定された方形状の支持基板である。  この支持基板４３は、図１に示すように断熱層５の上面に載置され防水層２により固定され、断熱層上面と防水層下面との間に発生する水蒸気その他のガス体を外筒体４２に誘導して大気中に放散する。
また、４４は外筒体４２の内周面上端近傍に形成されたネジ部で、このネジ部４４を介して前記雨カバー３１ｃが外筒体４２に螺合固定される。  
【００１９】
図４は、前記雨カバー３１ｃの縦断面図である。  図において、５２は前記外筒体４２の上端開口に所定の間隙を有して被冠される下端が開口する筒状キャップ、５３は筒状キャップ５２の上底面に設けられた連結筒で周面に通気用の孔部５３ａを有し、また。外周面には外筒体４２の前記ネジ部４４と螺合するネジ部５３ｂが形成されている。そして、５４は筒状キャップ５２の内周面に固定された支持リングで、外筒体４２の外周面との間に所定の間隙を保持できるようになっている。  前記内筒体３２および外筒体４２に誘導された水蒸気その他のガス体は、筒状キャップ５２に集約されその下端開口部から大気中に放出される。
【００２０】
図５は、図２に示す内筒体３２におけるスペーサー３４の平面図である。
リング状のこのスペーサー３４の開口部には内筒体３２が勘合しその外周面に溶接固定される。３４ａはスペーサー３４の内周面４か所に形成された凹部で、外筒体４２の内周面と内筒体３２外周面との間に水蒸気等の通路を構成する。
【００２１】
図６は、図４に示す筒状キャップ５２における支持リング５４の斜視図であり、図において、５４ａは本体部、５４ｂはリング部である。本体部５４は下端が開口する筒状体でその外周は筒状キャップ５２の内周にほぼ等しく、上底中心には外筒体４２に嵌合してこれを支持する前記リング部５４ｂが設けられ、リング部５４ｂの周囲には、水蒸気その他のガス体の通気路としての貫通孔部５４ｃが複数形成されている。  
【００２２】
図７は、図４における筒状キャップ５２の連結筒５３を示す斜視図である。
連結筒５３の上部の周面には水蒸気その他のガス体の通気路としての貫通孔部５３ａが複数形成されている。また、連結筒５３の下部の外周面には、ネジ部５３ｂが形成されていて、このネジ部５３ｂは、前記のように外筒体４２の前記ネジ部４４と螺合され、筒状キャップ５２を外筒体４２に着脱可能に固定するようなっている。  
なお、連結筒５３と外筒体４２との間には着脱自在の調節筒を設けて、筒状キャップ５２の下端面と支持基板４３との距離を必要に応じて長くすることがある。  その理由は以下のとおりである。  
すなわち、筒状キャップ５２の下端面と支持基板４３との間隙（距離ｈ）には、露出防水にあっては、断熱層、防水層、各種仕上げ材の順でそれぞれ積層され、押え防水にあっては、その防水層、断熱層、各種仕上げ材の順序で積層されることになる。  ここで、仕上げ材とは、例えば軽歩行仕上げ材のような防水層、断熱層の保護材その他の用途に応じて被覆される材をいう。
したがって、筒状キャップ５２の下端面と支持基板４３との間隙（距離ｈ）に位置する断熱層、防水層、各種仕上げ材による厚みは、屋上の用途や特長により様々に変化することになる。
しかしながら、図１において、雨カバー３１ｃ（筒状キャップ５２）の下端面と支持基板４３との間隙（距離ｈ）は固定されており、このままでは、防水層、断熱層、各種仕上げ材の積層厚さは前記間隙（距離ｈ）により規制されざるを得ず、屋上防水に対する種々の要求性能に対応できないことがあり、なんらかの対策を講じる必要がある。そこで、前記調節筒を外筒体４２の上端と連結筒５３との間に着脱自在に取り付けて外筒体４２の長さを嵩上げすることにより前述の不都合を解消しようとするものである。  この調節筒は、両端開口し、その下端部の外周面にはネジ部が形成されていて外筒体４２の上部内周面に形成されたネジ部４４と螺合するようになっている。  また、調節筒の上部内周面にもネジ部が形成され、連結筒５３の下部外周面の前記ネジ部５３ｂに螺合するようになっている。
この調節筒は、必要に応じて多段に重ねることが可能である。このように、外筒体４２を調節筒で嵩上げ可能にすることで、筒状キャップ５２の下端面と支持基板４３との間隙（距離Ｈ）を必要に応じて自由に設定でき、必要に応じて断熱層、防水層、各種仕上げ材による厚みの変化に対応できることになる。
【００２３】
次に、図１にしたがって、該実施形態に係る外断熱用の屋上防水層多重脱気構造の施工手順を説明する。
先ず、屋上の下地コンクリート１上面に防湿層４を形成する。この実施形態では、防湿層４の形成は、防湿性を有する下貼材として多用されている「三星フリースベスト」又は「強力スポッター」（いずれも田島ルーフィング株式会社の有する商標）を絶縁工法により貼りつけた。絶縁工法とは、周知のように接着剤により散点的に接着して未接着部分により通気路を形成する工法である。
【００２４】
次いで、図２に示す第１脱気手段３１ａを屋上の下地コンクリート１上面に設置する。  すなわち、防湿層４において、方形状の支持基板３３に相当する部分をカットして、このカット面に第１脱気手段３１ａを載置し支持基板３３の４隅の釘穴により釘止めにより固定する。
次ぎに、防湿層４上面に断熱層５を形成する。断熱層５は、硬質ポリウレタンフォーム材により形成する。  該実施形態では、耐熱性に優れ高温の溶融アスファルトに接触しても所定の形状、性能を維持でき、透湿抵抗性が大きく内部結露の抑制機能が良好である「ギルフォーム」（田島ルーフィング株式会社の商標）を使用している。  なお、当然のことながら第１脱気手段３１ａの内筒体３２は断熱層５を貫通している。
【００２５】
断熱層５が形成されたところで、第２脱気手段３１ｂを断熱層５上にセットする。  この際、第２脱気手段３１ｂの外筒体４２に第１脱気手段３１ａの内筒体３２が嵌合される。外筒体４２の内周面と内筒体３２の外周面との間には前記スペーサー３４、３４が介在して水蒸気等の通気路となる所定の間隙が形成されることになる。  次いで、断熱層５上に第２脱気手段３１ｂの支持基板４３および外筒体４２の根元を包み込むようにして防水層２を形成する。防水層２はアスファルト系ルーフィング材を中心に部分接着により断熱層５表面との間に未接着部分の連通による通気路を形成しつつ施工する。
【００２６】
次いで、防水層により断熱層上に支持基板４３を介して固定された第２脱気手段３１ｂの外筒体４２に、雨カバー３１ｃを取り付ける。  すなわち、外筒体４２を筒状キャップ５２の内周面に固定された支持リング５４に貫通させ、筒状キャップ５２における連結筒５３のネジ部５３ｂと外筒体４２の先端部に形成したネジ部４４と螺合して、雨カバー３１ｃを外筒体４２に固定する。
【００２７】
以上により構成された屋上防水層多重脱気構造には、第１脱気手段と第２脱気手段との２系統の通気路が形成される。
すなわち、第１脱気系統は、屋上の下地コンクリート１と防湿層４との間で未接着部分により構成される通気路、第１脱気手段３１ａの支持基板３３と屋上の下地コンクリート１との間隙、内筒体３２、外筒体４２、連結筒５３、連結筒５３の孔部５３ａ、外筒体４２の外周面と筒状キャップ５２の内周面との間の間隙、支持リング５４の孔部５４ｃ、筒状キャップ５２の下端開口部とで構成され、屋上の下地コンクリート１から蒸散した水蒸気等のガス体はこの第１脱気系統を通過して大気中に放散される。
【００２８】
また、第２脱気系統は、防水層２と断熱層５との間で未接着部分により構成される通気路、第２脱気手段３１ｂの支持基板４３と断熱層５との間隙、内筒体３２の外周面と外筒体４２の内周面との間隙、外筒体４２の外周面と筒状キャップ５２の内周面との間の間隙、支持リング５４の孔部５４ｃ、筒状キャップ５２の下端開口部とで構成され、断熱層５から蒸散した水蒸気等のガス体はこの第２脱気系統を通過して大気中に放散される。
【００２９】
前述の実施形態では、外断熱用の屋上防水に関して説明したが、これ以外に本願発明は、旧防水層を残してその上に更に新規な防水層を構築した屋上防水構造にも適用できる。その場合、旧防水層が前述の断熱層に該当する。
【００３０】
【付記事項】
【付記事項１】屋上の下地コンクリートと、この屋上の下地コンクリート上に積層される複数の被覆層と、屋上の下地コンクリートとこれに接する被覆層との間および互いに接する各被覆層の間にそれぞれ連通して水分、ガスその他を大気中に放散する脱気装置に使用する部材であって、両端開口する内筒体、この内筒体の一方開口端の外周縁に固定され屋上の下地コンクリートから発生する水蒸気その他のガス体を前記内筒体に誘導して最終的に大気中に排出する方形状の支持基板、内筒体の外周面の複数箇所に嵌合され内筒体に遊嵌する外筒体の内周面と内筒体３２の内周面との間に所定の間隙を保持するとともに通気路を有するスペーサーとを具えた脱気手段。
【００３１】
【発明の効果】
本願発明は、以上説明したような構成・作用により、外断熱用の屋上防水構造において複数層で発生する水蒸気等のガス体を、それぞれに捕収して大気中に放散するようにしたので、防水層の膨れによる種々の不都合を適正に防止することができる。
【図面の簡単な説明】
【図１】  外断熱用の屋上防水層多重脱気構造を示す一部切欠断面図である。
【図２】  第１脱気手段３１ａの一部切欠側面図である。
【図３】  第２脱気手段３１ｂの一部切欠側面図である。
【図４】  雨カバー３１ｃの縦断面図である。
【図５】  図２に示す内筒体３２におけるスペーサー３４の平面図である。
【図６】  図４に示す筒状キャップ５２における支持リング５４の斜視図である。
【図７】  図４における筒状キャップ５２の連結筒５３を示す斜視図である。
【図８】  従来の屋上防水層脱気構造を示す一部切欠断面図である。
【符号の説明】
１．．．．．．．．．．屋上の下地コンクリート
２．．．．．．．．．．防水層
４．．．．．．．．．．防湿層
５．．．．．．．．．．断熱層
３１．．．．．．．．．多重脱気装置
３１ａ．．．．．．．．第１脱気手段
３１ｂ．．．．．．．．第２脱気手段
３１ｃ．．．．．．．．雨カバー